(57)【要約】【課題】従来提案されている帽子の飛散防止方法や防止具は充分にその機能を果たすものではなかった。【解決手段】一端部に引き手部を設けた輪状の係止部を有し、他端部を前記輪状の係止部内を通して環状とした紐の他端部を帽子本体の庇部又は庇部の近傍にに取り付けることにより、前記紐の環状の径が前記引き手部を引いたり緩めたりすることによって緊緩可能とした帽子等の吹飛び防止紐を提供する。なお、前記環状とした吹き飛び防止紐の一部分が切断されており、その切断された部分を結束可能とすることにより、前記吹き飛び防止紐の環状の径の調整を容易にすることもできる。【選択図】図１
2013064214.tif 000002
【特許請求の範囲】
【請求項１】
一端部に引き手部を設けた輪状の係止部を有し、他端部を前記輪状の係止部内を通して環状とした吹き飛び防止紐の他端部を帽子本体の庇部又は庇部の近傍に取り付けることにより、前記吹き飛び防止紐の環状の径が前記引き手部を引いたり緩めたりすることによって緊緩可能としたことを特徴とした帽子等の吹飛び防止紐。
【請求項２】
前記環状とした吹き飛び防止紐の一部分が切断されており、その切断された部分を結束可能とすることにより、前記紐の環状の径の調整を容易としたことを特徴とした請求項１記載の帽子等の吹き飛び防止紐。
【請求項３】
一端部に引き手部を設けた輪状の係止部を有し、他端部を帽子本体の庇部又は庇部の近傍に取り付け、一端部に掛け具が設けられ、他端部に小さな輪状の滑り止め部を有する継紐の前記小さな輪状の滑り部内に前記吹き飛び防止紐を通し、前記輪状の係止部に前記掛け具を着脱可能とすることにより、前記吹き飛び防止紐の環状の径が前記引き手部を引いたり緩めたりすることによって緊緩可能としたことを特徴とした帽子等の吹き飛び防止紐。
【請求項４】
前記吹き飛び防止紐の他端部が前記帽子本体の汗取りバンド部に取り付けられたことを特徴とした請求項１〜３項のいずれか１項に記載の帽子等の吹き飛び防止紐。
【請求項５】
前記吹き飛び防止紐の引き手部と前記輪状の係止部を含む前記吹き飛び防止紐全体と前記継紐を前記帽子本体の内側に設けた係止片を用いて前記帽子本体の内側に収納可能としたことを特徴とする請求項１〜４項のいずれか１項に記載の帽子等の吹き飛び防止紐。
【発明の詳細な説明】
【技術分野】
【０００１】  本発明は、風等によって着用している帽子等が飛ばされることをを防止する、吹飛び防止具に関する。
【背景技術】
【０００２】  人は通常自分の頭のサイズに適した帽子を選んで着用するが、帽子の形状として周囲全体につば又はブリムが備わった通称ハットと呼ばれる帽子や周辺の一部に庇のついた野球帽や運動帽等は、風の抵抗を受けて飛ばされやすい、その為、従来は顎紐を設け、その紐を顎にかけて、吹飛びを防止していたが、顎紐は顎から首にかけるので首に当た不快感はさけられない。【０００３】  そのため、帽子を線状部材で衣服に係止具を用いて係止したり（例えば、特許文献１参照）、着用した帽子の外側から取り付ける着脱自在の帽子保持具（例えば、特許文献２参照）や帽子の内側に伸縮性のベルトを面状ファスナーで繋いで、取り付けて風による飛散を防止する帽子（例えば、特許又献３参照）などが提案されている。
【先行技術文献】
【特許文献】
【０００４】
【特許文献１】特開２０００−１７５１５号公報
【特許文献２】実用新案登録第３１０４０８１号公報
【特許文献３】特開２００６−３４８４５３号公報
【発明の概要】
【発明が解決しようとする課題】
【０００５】  ところが、特許文献１に記載の飛脱防止具は、帽子の後側に設けた挿通部を介して線状部材が取り付けられているため、強い風や突風が吹いた時、帽子は一度浮き上がり頭の後ろ側に線状体を介して衣類にぶら下がる。係止具が不完全であれば帽子は風に吹き飛ばされてしまう危険がある。【０００６】  特許文献２に記載の帽子保持具は、着用した帽子の外側から更に締め付けるため、帽子保持具を常に携帯するか、異様な見かけの帽子となる場合がある。【０００７】  特許文献３に記載の帽子の飛散防止具は、帽子の内側に予め取り付けて使用するため、強い風が突風として吹いた時、即座に飛散防止具の締付強度を変化させることが出来、風に吹き飛ばされてしまうことになる。【０００８】  上記の様に、従来から提案されている帽子の飛散防止方法や飛散防止具は充分にその機能を果たすものではなかった。本発明は前記の様な問題点を解消することを目的としている。
【課題を解決するための手段】
【０００９】  本発明は前記の目的を達成するため、一端部に引き手部を設けた輪状の係止部を有し、他端部を前記輪状の係止部内を通して環状とした吹飛び防止紐の他端部を帽子本体の庇部又は庇部の近傍に取り付けることにより、前記吹飛び防止紐の環状の径が前記引き手部を引いたり緩めたりすることによって緊緩可能とした帽子等の吹飛び防止具を提供する。なお、前記環状とした吹き飛び防止紐の一部分が切断されており、その切断された部分を結束可能とすることにより、前記吹飛び防止紐の環状の径の調整を容易にすることも出来る。【００１０】  また、一端部に引き手部を設けた輪状の係止部を有し、他端部を帽子本体の庇部又は庇部の近傍に取り付け、一端部に掛け具が設けられ、他端部に小さな輪状の滑り止め部を有する継紐の前記小さな輪状の滑り止め部内に前記吹飛び防止紐を通し、前記輪状の係止部に前記掛け具を着脱可能とすることにより、前記吹飛び防止紐の環状の径が前記引き手部を引いたり緩めたりすることによって緊緩可能としてもよい。【００１１】  さらに、前記吹飛び防止紐の他端部が前記帽子本体の汗取りバンド部に取付けられてもよいし、前記吹飛び防止紐の引き手部と前記輪状の係止部を含む前記吹飛び防止紐全体と前記継紐を前記帽子本体の内側に設けた係止片を用いて前記帽子本体の内側に収納可能としてもよい。
【発明の効果】
【００１２】  本発明は、一端部に引き手部を設けた輪状の係止部を有し、他端部を前記輪状の係止部内を通して環状とした吹飛び防止紐の他端部を前記帽子本体の庇部又は庇部近傍に取り付けることにより、前記吹飛び防止紐の環状の径が引き手部を引いたり緩めたりすることによって緊緩可能にしているので、着用時の強い風の中、突風が吹いても紐の引き手部をより強く引くことにより、頭に対する吹飛び防止紐の締め付け強さを増すことが出来、帽子を風で吹き飛ばされることはない。【００１３】  また、前記環状とした吹飛び防止紐の一部分を切断することで、その切断された部分が結束可能とすることや、一端部に掛け具が設けられ、他端部に小さな輪状の滑り止め部を有する継紐の前記小さな輪状の滑り止め部内に前記吹飛び防止紐を通し、前記輪状の係止部に前記掛け具を着脱可能とすることにより、前記吹飛び防止紐の環状の径の調整を容易にすることも出来る。【００１４】  そして、吹飛び防止紐の他端部を帽子本体の汗取りバンド部に取り付けておくと、吹飛び防止紐を使用しない時は係止片を用いて吹飛び防止紐全体を帽子の中に収納できて見掛けも良い等の効果を奏する。
【図面の簡単な説明】
【００１５】
【図１】本発明の第１の実施例の吹飛び防止紐を備えた野球帽子の裏面斜視図。
【図２】本発明の吹飛び防止紐を帽子本体の汗取りバンド部内に収納した状態を示す離満斜視図。
【図３】本発明に用いる吹飛び防止紐の全体形状を示す説明図。
【図４】本発明の第２の実施例となる切断された吹飛び防止紐を示す説明図。
【図５】本発明の第３の実施例となる継紐を用いた例を示す説明図。
【発明を実施するための形態】
【００１６】  以下、本発明の実施の形態を図１〜図５に基づいて説明する。
【００１７】  図において、１は帽子本体、２はクラウン、３は庇部、４は汗取りバンド、５は吹飛び防止紐、６は輪状の係止部、８は括り部、９は紐の抜け止部、１０は吹飛び防止紐の取付け部、１１は係止片、１２は面状ファスナー、１３は留め具、１４と１５は切断された紐、１６は小さな輪状の滑り止部、１７は掛け具、１８は継紐を示している。なお、この実施例では野球帽子１を用いた場合を示したが、周囲全体に庇を持ったハットや、作業用ヘルメット等にも利用出来る。
【００１８】  吹飛び防止紐５は、木綿糸やナイロン糸或いは、なめし皮等の直径０．５ｍｍから２ｍｍ程度で、長さは帽子の外周長さの約１．５倍程度の長さで、ある程度の引っ張り強度や摩擦抵抗力のある紐が好ましく用いられる、継紐１８も吹飛び防止紐５と同様の材質で作られ、長さは５〜１５ｃｍ程度あればよい。
【００１９】  そして、図１の第１の実施例では、図３で示す様に吹飛び防止紐５は、一端部に引き手部７を設けた輪状の係止部６を有し、吹飛び防止紐５の他端部を前記輪状の係止部６内を通して環状とし、帽子の庇部３又は庇の内側に取り付けているので、前記吹飛び防止紐５の環状の径が引き手部７を引いたり緩めたりすることによって頭に対して緊緩可能とすることが出来る。なお、この例では吹飛び防止紐５は庇部３の内側に取り付けたが、庇部３の近傍や外側に取り付けても良い。
【００２０】  本発明の吹飛び防止紐５を備えた帽子を着用する時は、帽子本体１の内周径より少し大きくした吹飛び防止紐５からなる環状部分を頭に被せながら帽子を着用する。吹飛び防止紐５の他端部１０は帽子本体１の庇部３の内側の汗取りバンド４に取付けられているので、吹飛び防止紐５の引き手部７を引くと吹飛び防止紐５による環状の径が小さくなると同時に摩擦力によって吹飛び防止紐５の頭に対する締め付け強さは弛むことなく保持される。
【００２１】  なお、吹飛び防止紐５の取付け部を図１の様に汗取りバンド４の一部に面状ファスナー１２を用いて取り付け、開閉自在にすると、図２の様に吹飛び防止紐５全体を汗取りバンド４内に収納できる。なお、帽子本体１のクラウン２部分に吹飛び防止紐５の一部を係止するための係止片１１と留め具１３としての面状ファスナーやスナップ等を用いて取り付けておくと、吹飛び防止紐５を使用しない時は帽子本体１内への納まりも良く、帽子の着脱も通常の様に行なうことが出来る。
【００２２】  図４は本発明の第２の実施例となる切断された吹飛び防止紐１４、１５を示し、帽子に対しては第１の実施例と同様に取り付けるが、使用時には帽子本体１を頭に被せた後、切断された吹飛び防止紐１４と１５を結び合わせて吹飛び防止紐５からなる環状部分を頭に固定して帽子を着用する。
【００２３】  図５は、本発明の第３の実施例を示し、一端部に引き手部７を設けた輪状の係止部６を有し、他端部１０を帽子本体１の庇部３の近傍に取り付け、一端部に掛け具１７が設けられ、他端部に小さな輪状の滑り止め部１６を有する継紐１８の前記小さな輪状の滑り止め部１６内に前記吹飛び防止紐５を通し、前記輪状の係止部６に前記掛け具１７を着脱可能とすることにより、前記吹飛び防止紐５の環状の径が前記引き手部７を引いたり緩めたりすることによって緊緩可能としている。なお掛け具１７としてはボタンが好ましくもちいられる。
【符号の説明】
【００２４】  １    帽子本体
２    クラウン
３    庇部
４    汗取りバンド
５    吹飛び防止紐
６    輪状の係止部
７    引き手部
８    括り部
９    紐の抜け止め部
１０    紐の他端部（帽子取付け部）
１１    係止片
１２    面状ファスナー
１３    留め具
１４    紐の切断部
１５    紐の切断部
１６    小さな輪状の滑り止め部
１７    掛け具
１８    継紐
【図１】
2013064214.tif 000003
【図２】
2013064214.tif 000004
【図３】
2013064214.tif 000005
【図４】
2013064214.tif 000006
【図５】
2013064214.tif 000007